(57)【要約】【課題】安価な視野角の狭い液晶を使用する場合であっても、液晶表示が見づらくなることを防止し、使い勝手がよく、また、バックライト機能を設ける場合であっても防湿性樹脂にバックライトが埋没することを防止できると同時にバックライトのはんだ部も防湿性樹脂により保護でき、精度を向上できる液晶表示装置および液晶表示装置を用いた洗濯機および洗濯乾燥機を得る。【解決手段】洗濯時間や行程などの情報を表示する液晶表示装置１を備える洗濯機２および洗濯乾燥機において、洗濯機２の前面中心から左右どちらかに片寄らせた位置に液晶表示装置１を配置し、かつ、液晶の視野角が洗濯機前面の中心に向って広がる位置に液晶表示装置１を配置する。【選択図】        図１
2008272197.tif 000002
【特許請求の範囲】
【請求項１】
洗濯時間や行程などの情報を表示する液晶表示装置を備える洗濯機および洗濯乾燥機において、洗濯機の前面中心から左右どちらかに片寄らせた位置に液晶表示装置を配置し、かつ、液晶の視野角が洗濯機前面の中心に向って広がる位置に液晶表示装置を配置することを特徴とする洗濯機および洗濯乾燥機。
【請求項２】
前記液晶表示装置の配置設定は、この液晶表示装置が取付けられるパネルの角度と、液晶表示装置の取付角度とにより設定されることを特徴とする請求項１記載の洗濯機および洗濯乾燥機。
【請求項３】
バックライト機能を備えた液晶表示装置で、光源となるディスクリートタイプＬＥＤ（発光ダイオード）、ＬＥＤの光を導く面発光する導光板、ＬＥＤと導光板を固定し導光板からの光を反射する反射ケース、ＬＥＤと液晶を固定する液晶カバー、ＬＥＤ等の電子部品を実装するための基板、基板を収納するケースを備えた液晶表示装置において、前記基板を前記ケースに収納し、防湿性樹脂でポッティングし、前記ＬＥＤ端子のはんだ部を防湿性樹脂に埋没させることを特徴とする液晶表示装置。
【請求項４】
前記反射ケース、液晶カバーの周面に、防湿性樹脂を流れ込ませるための孔を穿設したことを特徴とする請求項３記載の液晶表示装置。
【発明の詳細な説明】
【技術分野】
【０００１】
本発明は、液晶表示装置を用いた洗濯機および洗濯乾燥機に関するものである。
【背景技術】
【０００２】
洗濯機や洗濯乾燥機は、例えば前面側の上部に操作パネルを設け、ここに洗濯内容を設定する操作スイッチの押しボタンや、洗濯時間などの設定内容や洗濯行程などの洗濯情報を表示する表示装置を設けている。
【０００３】
この表示装置として、表示できる情報量の多さや、表示の柔軟性を考慮したとき、液晶表示装置が用いられることが多い。液晶表示の場合、ＮＣＡＰ（ネマチック曲線状整列位相）液晶であれば、視野角がひろく、視認性も確保できバックライトも不要であるが、高価である。
【０００４】
このため、安価なＴＮ方式の液晶が使用されることもある。このタイプの液晶の場合、液晶の特性として図９に示すように上下（垂直）方向の視野角は上下方向均等に３０度程度であるが、左右（水平）方向の視野角は図１０に示すように中心から左方向に４５度と、一方の方向にずれている。
【０００５】
また、液晶は、光源を持たないため、視認性を確保するためにバックライトを設けており、このバックライトにはＬＥＤ（発光ダイオード）を使用し、これを液晶の後方、直下に複数個を配設している。
【０００６】
前記従来技術は、当業者間で一般的に行われているものであり、文献公知発明にかかるものではない。
【発明の開示】
【発明が解決しようとする課題】
【０００７】
液晶表示装置として、ＴＮ方式の液晶を使用する場合、左右方向の視野角が狭く均等でないため、図７に示すように液晶表示装置１を洗濯機２や洗濯乾燥機の中心部に配置するには、視野角が左右均等の向きになるように配置する必要があるが、この向きに配置すると、図８に示すように上下方向の視野角が液晶に対して上下均等ではなくなるために、異なる身長の使用者３に対応することが困難になる。
【０００８】
そして、上下方向の視野角を上下均等にすると、今度は左右方向の視野角がかたよるために、洗濯機２の中心に液晶表示装置１を配置すると、洗濯機１の前面中央に立って作業する使用者が視野角の外に出てしまうおそれがあり、表示が見づらくなって使い勝手の良くないものになる。
【０００９】
また、液晶表示装置は、電子部品を実装した基板を湿気から保護するために防湿性樹脂でポッティングするが、液晶表示の視認性を向上させるためのバックライトを液晶表示の直下に設置して背後から照射するタイプとする場合、バックライトであるＬＥＤが樹脂に埋没するおそれがある。
【００１０】
そこでＬＥＤが樹脂に埋没することを防止する手段として、ＬＥＤの周囲に樹脂の流れ込みを防止するためのクッションなどを配設するなどの手段を講じる必要があり、構造が複雑になっている。
【００１１】
本発明は前記従来例の不都合を解消するものとして、安価な視野角の狭い液晶を使用する場合であっても、液晶表示が見づらくなることを防止し、使い勝手がよく、また、バックライト機能を設ける場合であっても防湿性樹脂にバックライトが埋没することを防止できると同時にバックライトのはんだ部も防湿性樹脂により保護でき、精度を向上できる液晶表示装置および液晶表示装置を用いた洗濯機および洗濯乾燥機を提供するものである。
【課題を解決するための手段】
【００１２】
請求項１記載の発明は、洗濯時間や行程などの情報を表示する液晶表示装置を備える洗濯機および洗濯乾燥機において、洗濯機の前面中心から左右どちらかに片寄らせた位置に液晶表示装置を配置し、かつ、液晶の視野角が洗濯機前面の中心に向って広がる位置に液晶表示装置を配置することを要旨とするものである。
【００１３】
これに加えて、請求項２記載の発明は、前記液晶表示装置の配置設定は、この液晶表示装置が取付けられるパネルの角度と、液晶表示装置の取付角度とにより設定されることを要旨とするものである。
【００１４】
請求項３記載の発明は、バックライト機能を備えた液晶表示装置で、光源となるディスクリートタイプＬＥＤ（発光ダイオード）、ＬＥＤの光を導く面発光する導光板、ＬＥＤと導光板を固定し導光板からの光を反射する反射ケース、ＬＥＤと液晶を固定する液晶カバー、ＬＥＤ等の電子部品を実装するための基板、基板を収納するケースを備えた液晶表示装置において、前記基板を前記ケースに収納し、防湿性樹脂でポッティングし、前記ＬＥＤ端子のはんだ部を防湿性樹脂に埋没させることを要旨とするものである。
【００１５】
これに加えて、請求項４記載の発明は、前記反射ケース、液晶カバーの周面に、防湿性樹脂を流れ込ませるための孔を穿設したことを要旨とするものである。
【発明の効果】
【００１６】
以上述べたように本発明の液晶表示装置および液晶表示装置を用いた洗濯機および洗濯乾燥機は、安価な視野角の狭い液晶を使用する場合であっても、表示装置の配設位置や視野角を考慮して設定したから、液晶表示が見づらくなることを防止し、使い勝手がよく、また、バックライト機能を設ける場合であっても、液晶の側方にバックライトを配置したから、防湿性樹脂にバックライトが埋没することを防止できると同時にバックライトのはんだ部を防湿性樹脂に埋没させることができ、防湿性樹脂により保護できて、精度を向上できるものである。
【発明を実施するための最良の形態】
【００１７】
以下、図面について本発明の実施形態を詳細に説明する。図１は本発明の液晶表示装置および液晶表示装置を用いた洗濯機および洗濯乾燥機の実施形態を示す平面側の説明図で、図１０に示すような左右方向で視野角が異なる液晶表示装置１を洗濯機２に使用する場合である。
【００１８】
このような液晶表示装置１、すなわち図１に示す例では使用者３の側から見て左方向に視野角が片寄って、左方向に４５度の視野角を有する液晶表示装置１を使用する場合は、洗濯機１の前面中心から右側にずらした位置で液晶表示装置１の向きを左右方向にして設置する。
【００１９】
これにより、視野角の中心が洗濯機２の前方中央に向って広がり、洗濯機２の前面中央で作業することの多い使用者３はこの視野角の中に入り、液晶表示装置１の表示が見づらくなることがない。
【００２０】
このように視野角が左右方向で異なる方を洗濯機２の左右いずれかの側にずらして配置することで、図９に示す視野角が上下で均等な方が図３に示すように上下方向に配置されることになる。
【００２１】
この場合、上下方向の視野角の中に使用者の視線が入るようにするため、図３に示すように液晶表示装置１を取付ける意匠パネル（操作パネル）４の外箱への取付角度や、この意匠パネル４への液晶表示装置１の取付角度を決定し、決定した所定の角度傾けることにより上下方向の視野角の中に使用者３の視線が入るようにする。
【００２２】
図２は、左右方向（横方向）の視野角の中に使用者３の視線が入るようにするための、液晶表示装置１の配置設定方法の説明図で、液晶表示装置１と使用者３の目線の位置とのｘ方向およびｙ方向の距離をｄｘ，ｄｙとし、また、ｘ−ｙ平面上の距離をｂと設定する。
【００２３】
液晶表示装置１と目線の位置とのｘ−ｙ平面における角度θｘｙは逆三角関数を用いて下記計算式で求めることができる。
2008272197.tif 000003
【００２４】
ここで液晶表示装置１のｘ−ｙ平面での視野角をφｘｙと設定すると、視野角の中心はθｘｙ±φｘｙ／２の範囲内に設定することが望ましい。また、計算に用いるｄｙは洗濯機２の幅ｗの１／２の位置に目線の位置がくるような場合の値を設定するとよい。
【００２５】
図４は、上下方向（垂直方向）の視野角の中に使用者３の視線が入るようにするための、液晶表示装置１の配置設定方法の説明図で、洗濯機２を設置している床から使用者３の目線までの高さをｈ、洗濯機２の液晶表示装置１の液晶の高さをｈ１ｃｄとし、その差をｈｕ−１とする。また、使用者３目線の位置と洗濯機２の液晶表示装置１とのｘ方向の距離をｄｘと設定し、使用者３の目線の位置と液晶とのｘ−ｚ平面での距離をａと設定する。
【００２６】
ここで液晶表示装置１の高さの水平方向と目線の角度をθｘｚと考えると、θｘｚは逆三角関数を用いて下記計算式で求められる。
2008272197.tif 000004
【００２７】
さらに本発明では、液晶表示装置１にバックライトとして、光源となるディスクリートタイプのＬＥＤ（発光ダイオード）５を使用するものであるが、この場合の防湿構造について説明する。
【００２８】
図５、図６に示すように液晶表示装置１は、液晶１ａの下部側方にＬＥＤ５を配置し、液晶１ａの下方にＬＥＤ５の光を液晶１ａに導き面発光する導光板６を配置し、この導光板６からの光を上面の液晶１ａに反射する反射ケース７にＬＥＤ５と導光板６とを固定し、液晶カバー８にＬＥＤ５と液晶１ａを固定し、これら液晶カバー８および反射ケース７の下方にＬＥＤ５などの電子部品を実装するためのプリント基板９を配設し、これら基板Ａｓｓｙを収納ケース１０に収納してある。
【００２９】
そして、電子部品などを湿気から保護するために、ウレタン樹脂などの防湿性樹脂１１を収納ケース１０内に注入して、プリント基板９を防湿性樹脂１１に埋没させる。この場合、ＬＥＤ５もプリント基板９に接続されているから、そのはんだ部も防湿性樹脂１１に埋没されることになり、耐湿性が図れる。
【００３０】
さらに、反射ケース７や液晶カバー８はプリント基板９の上部に配置されているが、ＬＥＤ５が防湿性樹脂１１に埋没しないように、これら反射ケース７、液晶カバー８は周囲が側壁部に形成されて高床式状態になっているため、側壁部の内側にはプリント基板９との間に空間１３が形成される。
【００３１】
よって、この空間内にも防湿性樹脂１１が充填されるように横細長形状の流通孔１２を形成し、収納ケース１０の側部から収納ケース１０内に注入した防湿性樹脂１１が前記空間１３内にも充填されるようにした。これにより、さらに耐湿性が向上する。
【図面の簡単な説明】
【００３２】
【図１】本発明の液晶表示装置および液晶表示装置を用いた洗濯機および洗濯乾燥機の実施形態を示す平面側の説明図である。
【図２】本発明の液晶表示装置および液晶表示装置を用いた洗濯機および洗濯乾燥機の実施形態を示す左右方向の視野角設定の説明図である。
【図３】本発明の液晶表示装置および液晶表示装置を用いた洗濯機および洗濯乾燥機の実施形態を示す側面側の説明図である。
【図４】本発明の液晶表示装置および液晶表示装置を用いた洗濯機および洗濯乾燥機の実施形態を示す上下方向の視野角設定の説明図である。
【図５】本発明の液晶表示装置の実施形態を示す縦断正面図である。
【図６】本発明の液晶表示装置の実施形態を示す要部の縦断正面図である。
【図７】従来の液晶表示装置および液晶表示装置を用いた洗濯機および洗濯乾燥機の平面側の説明図である。
【図８】従来の液晶表示装置および液晶表示装置を用いた洗濯機および洗濯乾燥機の側面側の説明図である。
【図９】ＴＮ方式の液晶の上下方向の視野角を示す説明図である。
【図１０】ＴＮ方式の液晶の左右方向の視野角を示す説明図である。
【符号の説明】
【００３３】
１  液晶表示装置                １ａ  液晶
２  洗濯機                      ３  使用者
４  意匠パネル                  ５  ＬＥＤ
６  導光板                      ７  反射ケース
８  液晶カバー                  ９  プリント基板
１０  収納ケース                １１  防湿性樹脂
１２  流通孔                    １３  空間
【図１】
2008272197.tif 000005
【図２】
2008272197.tif 000006
【図３】
2008272197.tif 000007
【図４】
2008272197.tif 000008
【図５】
2008272197.tif 000009
【図６】
2008272197.tif 000010
【図７】
2008272197.tif 000011
【図８】
2008272197.tif 000012
【図９】
2008272197.tif 000013
【図１０】
2008272197.tif 000014